(57)【要約】【課題】ハードディスクの空き容量に関係なく番組ファイルを削除でき、再生したい番組ファイルが自動的に削除されないように保護する。【解決手段】ハードディスク記録された番組ファイルを自動的に削除する時期を設定する。番組ファイルが再生されて視聴されたとき、設定された時期までのタイムカウントを開始する。タイムカウント中に番組ファイルが再生された場合、タイムカウントを最初からやり直す。設定された時期に到達したとき、番組ファイルを仮想的に削除する。番組ファイルは、見かけ上ハードディスクから削除されるが、もう一度再生したい場合には番組ファイルを復活させる。【選択図】  図５
2005011469.tif 000002
【特許請求の範囲】
【請求項１】
ランダムアクセス可能な記録媒体からファイルを削除する時期を設定する設定手段と、前記ファイルへのアクセスがあったときから前記時期までのタイムカウントを開始する計時手段と、タイムカウント中に前記ファイルがアクセスされたとき、タイムカウントを最初から開始するリセット手段と、前記時期に到達したとき、前記記録媒体から前記ファイルを削除する削除手段とを備えたことを特徴とする記録再生装置。
【請求項２】
ランダムアクセス可能な記録媒体からファイルを削除する時期を設定する設定手段と、前記ファイルへのアクセスがあったときから前記時期までのタイムカウントを開始する計時手段と、タイムカウント中に前記ファイルがアクセスされたとき、タイムカウントを最初から開始するリセット手段と、前記時期に到達したとき、前記記録媒体から前記ファイルを仮想的に削除する削除手段と、仮想的に削除された前記ファイルを復活させる復活手段とを備えたことを特徴とする記録再生装置。
【請求項３】
記録媒体の空き容量が少ないとき、仮想的に削除されたファイルを完全に削除する本削除手段を備えたことを特徴とする請求項２記載の記録再生装置。
【請求項４】
仮想的に削除されたファイルのリストを表示する表示手段を備えたことを特徴とする請求項２または３記載の記録再生装置。
【請求項５】
削除する時期までの残り時間を報知する報知手段を備えたことを特徴とする請求項１〜４のいずれかに記載の記録再生装置。
【請求項６】
ランダムアクセス可能な記録媒体に記録されたファイルを自動的に削除する削除方法であって、ファイルを削除する時期を設定し、前記ファイルへのアクセスがあったとき、前記時期までのタイムカウントを開始し、タイムカウント中に前記ファイルがアクセスされたとき、タイムカウントを最初から開始し、前記時期に到達したとき、前記記録媒体から前記ファイルを仮想的に削除することを特徴とするファイルの自動削除方法。
【発明の詳細な説明】
【０００１】
【発明の属する技術分野】
本発明は、ランダムアクセス可能な記録媒体に記録された映像や音楽等のファイルの自動的な削除が可能な記録再生装置に関する。
【０００２】
【従来の技術】
記録再生装置は、ＤＶＤ、ハードディスク等のランダムアクセス可能な記録媒体に映像や音楽等の番組ファイルを記録する。そして、記録媒体から不要な番組ファイルを削除することにより、記録媒体は十分な空き容量を保つことができる。
【０００３】
番組ファイルを再生するとき、番組ファイルが多数存在すると、目的の番組ファイルを探すのが困難となる。そこで、不要な番組ファイルを自動的に削除することが望まれる。
【０００４】
例えば、特許文献１では、記録媒体の空き容量を検出し、空き容量が不十分な場合、各ファイルに設定された重要度レベルに基づいて低いレベルのファイルを削除する。また、特許文献２では、録画データの保存期間を設定し、記録時からの時間が保存期間を経過していると、その録画データを記録媒体から削除する。
【０００５】
【特許文献１】
特開２０００−２１１３６（段落００１１）
【特許文献２】
特開平１１−２８９５１３（段落００５６）
【０００６】
【発明が解決しようとする課題】
従来では、記録媒体の空き容量が少なくなったときに、番組ファイルが自動的に削除される。そのため、不要な番組ファイルであっても、記録媒体の空き容量が少なくなるまで削除されずに保存される。番組ファイルの数を減らすことができず、目的の番組ファイルを探すことは困難のままである。
【０００７】
また、保存期間を設定して番組ファイルを自動的に削除すれば、確実に番組ファイルの数を減らすことができる。しかし、月に一度位といったように時々再生したい番組ファイルまで削除してしまうおそれがあり、視聴したい番組ファイルを保護できない。
【０００８】
本発明は、上記に鑑み、記録媒体の空き容量に関係なくファイルを削除でき、再生したいファイルが自動的に削除されないように保護できる記録再生装置を提供することを目的とする。
【０００９】
【課題を解決するための手段】
本発明による課題解決手段は、ランダムアクセス可能な記録媒体からファイルを削除する時期を設定する設定手段と、前記ファイルへのアクセスがあったときから前記時期までのタイムカウントを開始する計時手段と、タイムカウント中に前記ファイルがアクセスされたとき、タイムカウントを最初から開始するリセット手段と、前記時期に到達したとき、前記記録媒体から前記ファイルを削除する削除手段とを備えたものである。
【００１０】
設定手段により、選択したファイルを削除したい時期を任意に設定できる。このとき、ファイルを削除できないように設定することも可能であり、誤ってファイルを削除しないようにファイルを保護できる。選択されたファイルに対して、再生、コピー等のようにファイルに何らかのアクセスがあったときに、計時手段は、タイムカウントを開始する。アクセスがないときは、タイムカウントが開始されず、ファイルが削除されることはない。
【００１１】
このタイムカウント中、ファイルは通常通りアクセス可能な状態にある。リセット手段は、ファイルの再生等のファイルへのアクセスがあると、タイムカウントを一旦中止し、最初からやり直す。ファイルにアクセスがあることは、そのファイルが全く不要ではないことを意味している。したがって、時々ファイルにアクセスすれば、そのファイルを削除せずに残しておくことが可能となる。
【００１２】
削除する時期までの残り時間を報知する報知手段を備える。報知は、表示や音声によって、残り時間を知らせる。あるいは、残り時間がわずかになったときに、自動的に削除することを予告するようにしてもよい。これによって、削除してよいファイルであるか確認ができ、必要なファイルを誤って削除してしまうことを防げる。
【００１３】
設定された時期までタイムカウントされると、削除手段は、記録媒体からファイルを削除する。このように、ファイルを自動的に削除することにより、不要なファイルを減らすことができる。その結果、再生可能なファイル数が減ることになり、ファイルの検索や管理が容易となり、記録媒体の空き容量を確保できる。
【００１４】
削除手段は、ファイルを仮想的に削除するものとする。仮想的な削除とは、記録媒体から見かけ上削除することであり、ファイルのデータは記録媒体に保存されている。したがって、再生、編集等は不可能であり、記録されたファイルを一覧表示させても、表示されない。しかし、復活手段により、仮想的に削除されたファイルを復活させることができる。ファイルが復活すると、ファイルの再生が可能となる。
【００１５】
このとき、仮想的に削除されたファイルのリストを表示する。復活させたいファイルをリストから選択できる。また、完全に削除したいファイルをリストから選択して、手動操作によって削除すれば、記録媒体の空き容量を増やすことができる。ただし、このファイルを復活させることはできなくなる。
【００１６】
記録媒体の空き容量が少ないとき、仮想的に削除されたファイルを完全に削除する本削除手段を備える。常に記録媒体の空き容量を監視して、空き容量が規定値以下になると、ファイルを自動的に削除する。仮想的に削除されたファイルをすべて削除してもよく、あるいは仮想的に削除された時期が古いファイルから順に削除してもよい。
【００１７】
このようにファイルを仮想的に削除することにより、記録媒体に新たにファイルを記録するとき、ファイルは空いている領域に記録される。そのため、記録媒体を満遍なく使用することになる。同じ領域に繰り返し記録されるということがなくなり、記録媒体の破損や劣化を抑制できる。
【００１８】
【発明の実施の形態】
本発明の一実施形態の記録再生装置を図１に示す。本記録再生装置は、ランダムアクセス可能な記録媒体としてハードディスク１を使用し、チューナ２あるいは外部入力端子からの入力を切り換える切換スイッチ３と、入力されたアナログビデオ信号を非圧縮のデジタルビデオ信号に変換するビデオデコーダ４と、デジタルビデオ信号をＭＰＥＧ２方式により圧縮するエンコーダ５と、圧縮されたビデオ信号のデータをハードディスク１に対して入出力するディスクドライブインターフェース６と、圧縮されたビデオ信号のデータを伸長してデジタルビデオ信号にするデコーダ７と、デジタルビデオ信号をアナログビデオ信号に変換して、外部出力端子に出力するビデオエンコーダ８と、ハードディスク１に対する記録、再生、ファイル管理を制御するサブマイコンからなるサブ制御部９と、各種の設定、チャンネルの選択、記録、再生等を行うための指示を入力するリモコンあるいは本体パネルといった操作部１０と、これらを駆動制御するホストマイコンからなるホスト制御部１１と、時間を計時するタイマ１２と、ビデオ信号のデータを一時的に保存するＲＡＭ１３とを備えている。
【００１９】
番組ファイルを記録する場合、操作部１０によってチャンネルが選局され、チューナ２は、選局されたチャンネルにおける地上波放送や衛星放送からの信号をアンテナを通じて受信する。また、外部入力端子に接続されたケーブルネットワークあるいは外部機器からの信号を受信する。ビデオデコーダ４およびエンコーダ５により、受信したアナログビデオ信号が所定の方式によって信号処理される。信号処理されたデータは、ディスクドライブインターフェース６を通じてハードディスク１のデータ領域に保存され、番組ファイルが記録される。このとき、ハードディスク１のディレクトリ領域に、録画日時、録画時間といった番組ファイルに関する番組情報が書き込まれる。また、ハードディスク１のＦＡＴ（Ｆｉｌｅ  Ａｌｌｏｃａｔｉｏｎ  Ｔａｂｌｅ）領域に、番組ファイルの位置情報が書き込まれる。
【００２０】
番組ファイルを再生する場合、操作部１０によって選択された番組ファイルのデータをハードディスク１から読み取る。デコーダ７およびビデオエンコーダ８により、データを所定の方式によって信号処理して、アナログビデオ信号にする。このアナログビデオ信号が外部出力端子に接続されたテレビ、モニタ等の出力装置に出力され、出力装置の画面やスピーカによって視聴が可能となる。
【００２１】
ホスト制御部１１は、サブ制御部９に対して、上記のように番組ファイルの記録、再生を行うよう制御する他に、番組ファイルを指定された時期にハードディスク１から自動的に削除する制御を行う。すなわち、ホスト制御部１１は、操作部１０からの入力に基づいて番組ファイルを削除する時期を設定する設定機能と、番組ファイルが再生されてからタイムカウントを開始する計時機能と、タイムカウント中に番組ファイルが再生されたとき、タイムカウントを最初から開始するリセット機能と、設定された時期に到達したとき、番組ファイルを仮想的に削除する削除機能とを有する。そして、ホスト制御部１１は、出力装置を通じて、記録された番組ファイルの一覧を記録済番組リストとして表示し、さらに仮想的に削除された番組ファイルの一覧を削除済番組リストとして表示するようにサブ制御部９を制御する。削除済番組リストには、削除する時期までの残り時間が表示される。なお、表示する代わりに、残り時間を音声で報知してもよい。
【００２２】
仮想的な削除とは、見かけ上、番組ファイルをハードディスク１から削除することであり、実際には番組ファイルのデータはハードディスク１に残ったままの状態にされる。そのため、番組ファイルは、再び再生できるように復活可能な状態にある。具体的には、ハードディスク１のデータ領域に記録された番組ファイルのデータはそのまま保存され、ディレクトリ領域に記録された番組情報に仮想削除情報が付加され、ＦＡＴ領域の位置情報は変更されない。仮想的に削除された番組ファイルは、記録済番組リストには表示されないが、削除済番組リストには表示される。
【００２３】
さらに、ホスト制御部１１は、仮想的に削除された番組ファイルを復活させる復活機能と、ハードディスク１の空き容量を検出して、空き容量が少ないとき、仮想的に削除された番組ファイルを完全に削除する本削除機能も有する。また、仮想的に削除された番組ファイルを手動操作によって完全に削除する手動削除機能も有する。番組ファイルを完全に削除することは、ハードディスク１から番組ファイルのデータおよび番組情報を消去することであり、番組ファイルが完全に削除されれば、復活させることはできなくなる。
【００２４】
次に、番組ファイルを自動的に削除するときの動作を説明する。ユーザは、操作部１０を通じて番組をハードディスク１に記録するための設定を行う。このとき、自動的に削除するか否かも設定する。例えば、図２に示すように、タイマ予約設定画面がモニタに表示される。自動削除の項目は、初期設定ではオフになっている。ユーザがオンを選択することによって、自動削除が設定される。その後、自動削除に関するサブメニュー画面が表示される。図３に示すように、自動削除設定画面には、削除する日時が表示される。所望の日時を選択すると、削除する時期が決定される。ここでは、何日後に削除するかを設定できるが、何時間後といった時間、あるいは何月何日といった日付を直接入力することによって設定してもよい。
【００２５】
この自動削除の機能を実行するか否かを選択できる。図４に示すメインメニュー画面において、自動削除のメイン設定をオンにすれば、自動削除が有効となる。オフにすれば、自動削除が無効となり、上記のタイマ予約設定画面において、自動削除の設定をオンにしていても、自動削除は実行されない。このメイン設定は、個別の番組ファイルに対する自動削除の設定よりも優先される。そのため、自動削除が実行中であっても、メイン設定をオフにすることにより、自動削除は中止される。
【００２６】
さらに、記録した番組ファイルが誤って削除されないように、ファイルを保護することができる。すなわち、設定時にプロテクトをオンに設定すれば、ホスト制御部１１は、削除自体を禁止して、手動でも自動でも番組ファイルを削除できなくする。
【００２７】
そして、設定された時間になると、番組が録画されて、ハードディスク１に番組ファイルが記録される。このようにして記録された番組ファイルが存在すると、図５に示すように、ホスト制御部１１は、自動削除およびプロテクトの設定の確認を行い、その番組ファイルが再生されたかチェックする。自動削除の設定がオフあるいはプロテクトの設定がオンされていると、番組ファイルはそのまま保管される。
【００２８】
自動削除が設定された番組ファイルが視聴されたとき、ホスト制御部１１は、再生の終了を検知すると、タイマ１２により再生終了時点からタイムカウントを開始する。ここで、自動削除を行うには、番組ファイルが視聴済であることが条件とされ、ホスト制御部１１は、番組ファイルを再生したとき、視聴済であるかの判断を行う。視聴済であるかの判断は、番組ファイルがどのくらい再生されたかといった再生度合いに基づいて行われる。再生度合いは、例えば記録時間に対する再生時間、あるいは記録サイズに対する再生した分のサイズから算出される。この再生度合いを視聴済であるとみなす基準度合いである判断比率と比較する。再生度合いが判断比率以上であれば、視聴済であると判断する。
【００２９】
すなわち、図６に示すように、番組ファイルが再生され、視聴が開始される。視聴が終了したとき、すなわち再生が停止されたとき、その視聴時間に基づいて再生度合いである視聴時間／タイトル総時間を算出し、視聴判断比率と比較する。再生度合いが視聴判断比率以上の場合、ホスト制御部１１は、再生されたときの日時を視聴時間としてメモリに記憶し、視聴済であると判断する。この視聴日時が、自動削除を実行する時期の開始基準時間となる。そして、タイマ１２により、自動削除のタイムカウントが開始される。
【００３０】
なお、判断比率は、予め設定されており、初期設定は９０％とされる。１時間の番組であれば、５４分以上再生された時点で視聴済と判断される。判断比率の設定変更は、図４に示す録画予約設定のメニュー画面において行える。視聴判断比率の項目を選択すれば、サブメニュー画面が表示され、任意の数値を入力すればよい。
【００３１】
記録された番組ファイルは、一覧にして表示される。一例として、図７に録画済リスト画面を示す。番組ファイルごとに、プロテクトのオンオフ、自動削除の設定の有無が表示される。自動削除が設定されている場合は、削除される時期までの残り時間が表示され、設定されていない場合は、この欄に時間の表示はない。これにより、自動削除の設定の有無を確認することができる。
【００３２】
自動削除が設定され、タイムカウント中であっても、設定の変更を行える。図７の画面を呼び出し、目的の番組ファイルを選択する。操作部１０から自動削除変更の操作をすると、変更用の画面に切換わる。ここで、自動削除の設定のオンオフやプロテクトの設定のオンオフを切換える。例えば、自動削除の設定をオフからオンに切換えると、図３に示す画面が表示され、削除する時期を設定できる。また、自動削除が設定されている番組ファイルに対して、プロテクトの設定をオンにすると、削除が禁止されるので、番組ファイルはハードディスク１に保管される。
【００３３】
ホスト制御部１１は、タイマのタイムカウントにより、設定された時期に達したかチェックする。この間においても番組ファイルが再生されたかをチェックしている。番組ファイルが再生された場合、タイムカウントを最初からやり直す。また、自動削除が設定された番組ファイルであっても、設定された時期になる前に手動で削除することができる。このときの削除も仮想的な削除である。
【００３４】
設定された時期になったとき、自動的に番組ファイルは仮想的に削除される。なお、設定された時期になったとき、あるいはこの時期の所定時間前に、削除することを表示、音声等によって報知するようにしてもよい。このようにして、仮想的に削除された番組ファイルは、録画済リスト画面には表示されない。その代わり、図８に示す削除済リスト画面に、番組ファイルの一覧が削除された順に表示される。
【００３５】
この削除済リスト画面において、番組ファイルを選択して、復活キー等を操作することにより、番組ファイルは、再生可能な状態に復活する。復活した番組ファイルは、再び録画済リスト画面に表示される。
【００３６】
ところで、番組ファイルをハードディスク１に記録するとき、番組ファイルはデータ領域の空いている領域にランダムに記録される。例えば、図９に示すように、番組ファイルは、ハードディスク１のデータ領域にある程度規則正しく記録される。２番の番組ファイルが仮想的に削除された場合、この番組ファイルのデータはそのまま存在している。新しい番組ファイルが記録されると、２番の録画ファイルが存在する領域に記録されることはなく、空き領域Ａに記録される。このように仮想的に削除した場合、次に記録される領域は異なる領域となり、同じ領域に繰返し記録されることはない。一方、完全に削除した場合、同じ領域に記録されることがある。同じ領域に繰返し記録すると、磁気ヘッドやハードディスク本体の劣化が著しくなるおそれがある。したがって、仮想的な削除を行うことにより、ハードディスクの記録可能な領域を満遍なく使用できる。そのため、磁気ヘッドやハードディスク本体の劣化を防止でき、これらの寿命を長くすることができ、しかもデータ破壊やエラー発生の頻度が少なくなり、記録再生装置としての信頼性を高めることができる。
【００３７】
番組ファイルを仮想的に削除していても、新しく記録していくと、ハードディスク１の空き容量が少なくなってくる。ホスト制御部１１は、ハードディスク１の空き容量を常に監視しており、ハードディスク１の空き容量が少なくなったとき、仮想的に削除された番組ファイルを完全に削除する本削除を行う。すなわち、図１０に示すように、仮想的に削除された番組ファイルに対して、ディレクトリ領域に記録されたその番組情報に仮想削除情報が付加される。ハードディスク１の空き容量が規定値以下になると、自動的に番組ファイルの本削除が行われる。本削除するとき、仮想的に削除された古い順に番組ファイルを１つずつ削除する、あるいは番組ファイルを一括して削除する。なお、本削除は、手動操作によっても行える。このようにして、番組ファイルのデータ、番組情報はハードディスク１から消去され、ハードディスク１の空き容量を増やすことができる。
【００３８】
なお、本発明は、上記実施形態に限定されるものではなく、本発明の範囲内で上記実施形態に多くの修正および変更を加え得ることは勿論である。記録媒体は、ハードディスクに限らず、ランダムアクセス可能なＤＶＤ、ＣＤ、半導体メモリとしてもよい。そして、記録媒体に記録するファイルは、放送番組だけでなく、音楽データ、文書データ、画像データであってもよい。
【００３９】
記録再生装置として、複数の記録媒体を使用して、各記録媒体に記録再生可能なものとする。そして、１つの記録媒体において、設定された時期にファイルを自動的に削除する。この場合、１つの記録媒体にあるファイルを他の記録媒体に移動するような制御を行う。すなわち、１つの記録媒体では、ファイルがなくなるので、削除されたことになる。このファイルは、他の記録媒体に記録されているため、再生可能な状態にある。このように、複数の記録媒体間でファイル移動を行うことにより、記録媒体からファイルを仮想的に削除したことになる。
【００４０】
また、自動削除のタイムカウントの開始タイミングは、再生が終了した時点としたが、自動削除したい番組ファイルに対して何らかのアクセスがあった時点から開始してもよい。例えば、録画済リスト画面において番組ファイルを選択したとき、番組ファイルのサムネイル画面を表示したとき、番組ファイルをダビングするために外部出力端子から出力したとき等があげられる。
【００４１】
仮想的に削除されたファイルを完全に削除する本削除を自動的に実行するようにしてもよい。すなわち、仮想的に削除した時から一定期間経過したときに、自動的に本削除する。このようにすれば、記録媒体の空き容量を随時増やすことができ、空き容量不足が起きにくくなる。
【００４２】
【発明の効果】
以上の説明から明らかな通り、本発明によると、記録媒体の空き容量に関係なく記録されたファイルを自動的に削除することにより、常に十分な空き容量を確保することができる。そして、記録媒体に記録された再生可能な状態のファイルが整理されるので、目的のファイルが探しやすくなる。また、永久に保管しておく必要はないが、時々再生するようなファイルを誤って削除してしまうことを防止でき、必要なファイルの保護を図れる、
【図面の簡単な説明】
【図１】本発明の一実施形態の記録再生装置の概略ブロック図
【図２】タイマ予約設定画面を示す図
【図３】自動削除設定画面を示す図
【図４】メインメニュー画面を示す図
【図５】ファイルの自動削除のフローチャート
【図６】ファイルの視聴済判断のフローチャート
【図７】録画済リスト画面を示す図
【図８】仮想削除済リスト画面を示す図
【図９】ハードディスク上のファイルを記録した領域を示す図
【図１０】ファイルの本削除のフローチャート
【符号の説明】
１    ハードディスク
２    チューナ
４    ビデオデコーダ
５    エンコーダ
６    ディスクドライブインターフェース
７    デコーダ
８    ビデオエンコーダ
９    サブ制御部
１０    操作部
１１    ホスト制御部
１２    タイマ
【図１】
2005011469.tif 000003
【図２】
2005011469.tif 000004
【図３】
2005011469.tif 000005
【図４】
2005011469.tif 000006
【図５】
2005011469.tif 000007
【図６】
2005011469.tif 000008
【図７】
2005011469.tif 000009
【図８】
2005011469.tif 000010
【図９】
2005011469.tif 000011
【図１０】
2005011469.tif 000012